(57)【要約】【課題】各種条件に応じて高周波成分の強調量を最適に調整する処理を自律的な動作により実現すること。【解決手段】上記課題を達成するため、送信側の装置は、高周波成分の強調量を段階的に変動させながら、特定パターンの信号を受信側の装置へ送信する。受信側の装置は、受信した特定パターンの信号のエッジの数を取得し、エッジの数が変動した時点で送信側の装置へ最適化が完了した旨を応答する。これにより、各種条件に応じて高周波成分の強調量を最適に調整する処理を自律的な動作により実現することができる。【選択図】        図１０
2008177940.tif 000002
【特許請求の範囲】
【請求項１】
伝送路を介して他の装置と接続され、前記他の装置との間で通信をおこなう通信機能を有する装置において、
前記他の装置に対して、強調駆動器の設定を変更し特定データの強調成分を所定範囲で変更して送信する送信部と、
前記送信部による前記特定データの送信に応答して前記他の装置から受信した前記特定データの強調成分の最適設定情報を、前記強調駆動器に設定する強調量制御部と
を備えたことを特徴とする通信機能を有する装置。
【請求項２】
前記特定データは、論理値１の複数ビットと論理値０の複数ビットとが交互に送信された後、論理値１の１ビットと論理値０の１ビットが前記強調成分をもたせられて交互に送信されるデータであることを特徴とする請求項１記載の通信機能を有する装置。
【請求項３】
前記特定データは、論理値１の複数ビットと論理値０の複数ビットとが前記強調成分をもたせられて交互に送信されるデータであることを特徴とする請求項１記載の通信機能を有する装置。
【請求項４】
伝送路を介して他の装置と接続され、前記他の装置との間で通信をおこなう通信機能を有する装置において、
前記他の装置から特定データを受信する受信部と、
前記特定データの強調成分の最適設定情報を求める最適化処理部と、
前記他の装置に対して前記最適設定情報を送信する送信部と
を備えたことを特徴とする通信機能を有する装置。
【請求項５】
前記最適化処理部は、前記特定データの内、論理値１の１ビットと論理値０の１ビットが強調成分をもたされて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする請求項４記載の通信機能を有する装置。
【請求項６】
前記最適化処理部は、前記特定データの波形からエッジを求めて、前記特定データの一周期内のエッジの数量が所定個数に遷移することを検出することにより、前記強調成分の最適設定情報を求めることを特徴とする請求項４記載の通信機能を有する装置。
【請求項７】
伝送路を介して他の装置と接続され、前記他の装置との間で通信を行う通信機能を有する装置に、
前記他の装置に対して、強調駆動器の設定を変更し特定データの強調成分を所定範囲で変更して送信する送信処理ステップと、
前記送信処理ステップによる前記特定データの送信に応答して前記他の装置から受信した前記特定データの強調成分の最適設定情報を、前記強調駆動器に設定する特性設定ステップと
を実行させることを特徴とする調整プログラム。
【請求項８】
伝送路を介して他の装置と接続され、前記他の装置との間で通信を行う通信機能を有する装置に、
前記他の装置から特定データを受信する受信ステップと、
前記特定データの強調成分の最適設定情報を求める最適化処理ステップと、
前記他の装置に対して前記最適設定情報を送信する送信ステップと
を実行させることを特徴とする調整プログラム。
【発明の詳細な説明】
【技術分野】
【０００１】
この発明は、通信機能を有する装置および前記装置において実行される調整プログラムに関し、特に、各種条件に応じて高周波成分の強調量を最適に調整する処理を自律的な動作により実現することができる通信機能を有する装置および調整プログラムに関する。
【背景技術】
【０００２】
伝送経路においては、低周波成分と比較して、高周波成分の減衰が大きい。この現象に対処するため、送信側の装置において、予め高周波成分を強調して送信する技術が知られている（例えば、特許文献１）。
【０００３】
【特許文献１】特開平６−１７７７９８号公報
【発明の開示】
【発明が解決しようとする課題】
【０００４】
ところで、高周波成分の減衰量は、伝送経路の材質や経路長等の条件によって変動する。このため、正確な情報伝送を実現するためには、これらの条件に合わせて高周波成分を強調する量を調整する必要がある。特に、近年一般化しつつある１０Ｇｂｐｓといった高速な伝送経路では、高周波成分の減衰が大きいため、強調量を最適に調整することが非常に重要になっている。
【０００５】
しかしながら、従来、高周波成分の強調量の調整は、人が実験等に基づいておこなっていた。このため、伝送経路の材質や経路長等に変更があるたびに、強調量の再調整作業を人がおこなう必要があり、非常に手間が掛かっていた。また、想定していた運用条件と、実際の運用条件とが異なる等の理由により、高周波成分の強調量が最適ではない状態で運用され、伝送経路の性能が十分に発揮されないこともあった。
【０００６】
この発明は、上述した従来技術による問題点を解消するためになされたものであり、各種条件に応じて高周波成分の強調量を最適に調整する処理を自律的な動作により実現することができる通信機能を有する装置および調整プログラムを提供することを目的とする。
【課題を解決するための手段】
【０００７】
上述した課題を解決し、目的を達成するため、本発明の一つの態様では、伝送路を介して他の装置と接続され、前記他の装置との間で通信をおこなう通信機能を有する装置において、前記他の装置に対して、強調駆動器の設定を変更し特定データの強調成分を所定範囲で変更して送信する送信部と、前記送信部による前記特定データの送信に応答して前記他の装置から受信した前記特定データの強調成分の最適設定情報を、前記強調駆動器に設定する強調量制御部とを備えたことを特徴とする。
【０００８】
また、本発明の他の態様では、上記の発明の態様において、前記特定データは、論理値１の複数ビットと論理値０の複数ビットとが交互に送信された後、論理値１の１ビットと論理値０の１ビットが前記強調成分をもたせられて交互に送信されるデータであることを特徴とする。
【０００９】
また、本発明の他の態様では、上記の発明の態様において、前記特定データは、論理値１の複数ビットと論理値０の複数ビットとが前記強調成分をもたせられて交互に送信されるデータであることを特徴とする。
【００１０】
これらの発明の態様によれば、送信側の装置から受信側の装置へ対して特定データを送信し、受信側の装置から応答された最適設定情報に基づいて、送信側の装置が高周波成分の強調量を設定することとしたので、送信側の装置と受信側の装置の自律的な動作により、各種条件に応じて高周波成分の強調量を最適に調整する処理を実現することができる。
【００１１】
また、本発明の他の態様では、上記の発明の態様において、伝送路を介して他の装置と接続され、前記他の装置との間で通信をおこなう通信機能を有する装置において、前記他の装置から特定データを受信する受信部と、前記特定データの強調成分の最適設定情報を求める最適化処理部と、前記他の装置に対して前記最適設定情報を送信する送信部とを備えたことを特徴とする。
【００１２】
この発明の態様によれば、送信側の装置から送信された特定データを受信側の装置が受信し、その特定データを分析した結果を最適設定情報として送信側の装置へ応答し、その最適設定情報に基づいて送信側の装置が高周波成分の強調量を設定することとしたので、送信側の装置と受信側の装置の自律的な動作により、各種条件に応じて高周波成分の強調量を最適に調整する処理を実現することができる。
【００１３】
また、本発明の他の態様では、上記の発明の態様において、前記最適化処理部は、前記特定データの内、論理値１の１ビットと論理値０の１ビットが強調成分をもたされて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする。
【００１４】
この発明の態様によれば、受信した特定データの強調部分の振幅と非強調部分の振幅を測定し、両者を一致させるための情報を送信側の装置へ応答することとしたので、送信側の装置と受信側の装置の自律的な動作により、各種条件に応じて高周波成分の強調量を最適に調整する処理を実現することができる。
【００１５】
また、本発明の他の態様では、上記の発明の態様において、前記最適化処理部は、前記特定データの波形からエッジを求めて、前記特定データの一周期内のエッジの数量が所定個数に遷移することを検出することにより、前記強調成分の最適設定情報を求めることを特徴とする。
【００１６】
この発明の態様によれば、受信した特定データの波形のエッジ数を求め、エッジ数の遷移に関する情報を送信側の装置へ応答することとしたので、送信側の装置と受信側の装置の自律的な動作により、各種条件に応じて高周波成分の強調量を最適に調整する処理を実現することができる。
【００１７】
なお、本発明の構成要素、表現または構成要素の任意の組合せを、方法、装置、システム、コンピュータプログラム、記録媒体、データ構造などに適用したものも本発明の態様として有効である。
【発明の効果】
【００１８】
本発明の一つの態様によれば、送信側の装置から送信された特定データを受信側の装置が受信し、その特定データを分析した結果を最適設定情報として送信側の装置へ応答し、その最適設定情報に基づいて送信側の装置が高周波成分の強調量を設定することとしたので、送信側の装置と受信側の装置の自律的な動作により、各種条件に応じて高周波成分の強調量を最適に調整する処理を実現することができるという効果を奏する。
【００１９】
また、本発明の一つの態様によれば、受信した特定データの強調部分の振幅と非強調部分の振幅を測定し、両者を一致させるための情報を送信側の装置へ応答することとしたので、送信側の装置と受信側の装置の自律的な動作により、各種条件に応じて高周波成分の強調量を最適に調整する処理を実現することができるという効果を奏する。
【００２０】
また、本発明の一つの態様によれば、受信した特定データの波形のエッジ数を求め、エッジ数の遷移に関する情報を送信側の装置へ応答することとしたので、送信側の装置と受信側の装置の自律的な動作により、各種条件に応じて高周波成分の強調量を最適に調整する処理を実現することができるという効果を奏する。
【発明を実施するための最良の形態】
【００２１】
以下に添付図面を参照して、本発明に係る通信機能を有する装置および調整プログラムの好適な実施の形態を詳細に説明する。なお、以下の実施例によってこの発明が限定されるものではなく、また、各実施例に記載された発明を適宜組み合わせてもちいることも可能である。
【実施例１】
【００２２】
まず、信号伝送における高周波成分の強調（プリエンファシス）について説明しておく。伝送経路を通じて信号を伝送する場合、送信側の装置は、伝送経路における高周波成分の減衰を考慮して、図２０に示すように、信号の立ち上がり部分と立ち下がり部分を１ビット分だけ予め強調して送信する。
【００２３】
そして、このとき強調する量が適切であれば、強調された部分は、伝送路における減衰により消滅し、受信側の装置では、送信側の装置が本来送信したかった波形が正確に受信されることになる。この場合、受信側で受信される信号は、図２１に示すアイチャートのように、ジッタ成分が少ないものとなる。
【００２４】
ところが、送信側の装置において高周波成分を強調する量が多すぎると、伝送経路において強調部分が完全に減衰せず、図２２に示すアイチャートのように、受信側で受信される信号は、ジッタ成分を多く含むものとなる。また、送信側の装置において高周波を強調する量が少なすぎると、伝送経路において高周波部分の伝送損失が生じ、図２３に示すアイチャートのように、受信側で受信される信号は、ジッタ成分を多く含むものとなる。
【００２５】
このように、伝送経路を通じて信号を伝送する場合、受信側の装置へ品質の良い信号を伝送するには、送信側の装置において高周波成分の強調量を適切に調整する必要がある。高周波成分の最適な強調量は、伝送経路の材質や経路長等の条件によって変化するが、本発明に係る調整方法は、送信側の装置と受信側の装置の協調動作により、高周波成分の強調量を自動的に最適化することを可能にする。
【００２６】
次に、本実施例に係る調整方法の概要について説明する。本実施例に係る調整方法では、まず、図１に示すように、送信側の装置が、高周波成分を強調することなく、低周波信号を受信側の装置へ送信し、受信側の装置にて、受信した信号の振幅ａ１が取得される。低周波信号は、例えば、「１１１０００１１１０００…」のように論理値１の複数ビットと、論理値０の複数ビットを交互に送信することにより、送信することができる。
【００２７】
ここで取得される振幅ａ１は、受信側の装置において周波数の高低によらず全ての信号がもつべき振幅を表す。そして、高周波成分を強調することなく低周波信号を送信しているのは、強調成分が残存してしまい、その影響で振幅ａ１が不適切に大きくなってしまうことを防止するためである。なお、振幅ａ１は、１つの時点の振幅を採取した値ではなく、複数の時点で採取した振幅を平均した値であってもよい。
【００２８】
続いて、図２に示すように、送信側の装置が、高周波成分を強調することなく、高周波信号を受信側の装置へ送信し、受信側の装置にて、受信した信号の振幅ａ２が取得される。高周波信号は、例えば、「１０１０１０…」のように論理値１の１ビットと、論理値０の１ビットを交互に送信することにより、送信することができる。
【００２９】
高周波信号は、低周波信号に比べて伝送経路における減衰が大きいため、ここで取得される振幅ａ２は、振幅ａ１よりも小さな値となる。なお、振幅ａ２は、１つの時点の振幅を採取した値ではなく、複数の時点で採取した振幅を平均した値であってもよい。
【００３０】
続いて、受信側の装置は、振幅ａ１と振幅ａ２の差分の大きさを送信側の装置へフィードバックし、送信側の装置は、図３に示すように、フィードバックされた差分の大きさに応じて高周波成分の強調量を設定して、高周波信号を受信側の装置へ送信する。
【００３１】
そして、再び、受信側の装置にて、受信した信号の振幅ａ２が取得される。高周波信号は、高周波成分が強調された場合に、信号全体が強調されることになるため、ここで取得される振幅ａ２は、高周波の強調部分が伝送経路を通過して減衰した状態での振幅を表す。
【００３２】
したがって、ここで取得される振幅ａ２が、振幅ａ１と同じ大きさであれば、すなわち、高周波成分の強調部分の減衰後の振幅が、受信側の装置において周波数の高低によらず全ての信号がもつべき振幅と等しくなったならば、送信側における高周波成分の強調量が最適化されていることとなり、受信側の装置から送信側の装置に対して、強調量が最適化された旨が通知され、調整処理が完了する。
【００３３】
一方、振幅ａ２と振幅ａ１の大きさが異なる場合は、受信側の装置が、振幅ａ１と振幅ａ２の差分の大きさを送信側の装置へフィードバックし、送信側の装置が、フィードバックされた差分の大きさに応じて高周波成分の強調量を再設定して、高周波信号を受信側の装置へ送信するという一連の処理が、振幅ａ１と振幅ａ２が同じ大きさになるまで繰り返し実行される。
【００３４】
このように、本実施例に係る調整方法では、強調量を変動させながら送信した高周波信号の振幅と、高周波成分の強調をおこなわずに送信した低周波信号の振幅を比較し、両者が一致するように調整することにより、高周波成分の強調量を最適化する。なお、上記の調整方法は、本信号の送信開始前に実行される。
【００３５】
次に、本実施例に係る調整方法を実行する伝送システムの構成について説明する。図４は、本実施例に係る伝送システムの構成を示す機能ブロック図である。同図に示すように、本実施例に係る伝送システムは、情報処理装置１００ａと情報処理装置２００ａを接続して構成される。
【００３６】
なお、図４では、説明を簡単にするため、情報処理装置１００ａから情報処理装置２００ａへ送信される信号の高周波成分の強調量を最適化するための構成のみを図示している。また、ここでいう情報処理装置は、他の装置と情報のやりとりをおこなう装置を広く意味し、通信装置等を含むものとする。また、情報処理装置１００ａと情報処理装置２００ａの間の接続は、どのような方式によるものであってもよく、例えば、ネットワークによる接続であってもよいし、装置間接続用の専用のケーブルによる接続であってもよい。
【００３７】
情報処理装置１００ａは、主処理部１１０と、送信部１２０と、受信部１３０と、強調量制御部１４０ａと、特定データ生成部１５０とを有する。主処理部１１０は、情報処理装置１００ａの主目的である処理を実行する処理部である。
【００３８】
送信部１２０は、主処理部１１０もしくは特定データ生成部１５０から送信を依頼されたビット列を伝送用の信号に変換して情報処理装置２００ａへ向けて送信する処理部である。送信部１２０は、駆動部１２１と、強調駆動部１２２とを有し、駆動部１２１から出力された波形と、強調駆動部１２２から出力された波形とを合成して送信する。
【００３９】
駆動部１２１は、送信を依頼されたビット列を伝送するための通常の波形を生成する処理部である。すなわち、駆動部１２１は、送信を依頼されたビット列の１の部分をＨｉｇｈとし、０の部分をＬｏｗとした波形を生成する。強調駆動部１２２は、送信を依頼されたビット列が０から１もしくは１から０へ変化するタイミングで、高周波成分を強調するための波形を生成する処理部であり、強調量制御部１４０ａの制御により、強調量を変化させる。
【００４０】
受信部１３０は、情報処理装置２００ａから送信された信号を受信し、ビット列へ変換する処理部である。受信部１３０は、高周波成分の強調量の最適化のための処理の実行中は、変換後のビット列を強調量制御部１４０ａへ出力し、その他の場合は、変換後のビット列を主処理部１１０へ出力する。
【００４１】
強調量制御部１４０ａは、送信部１２０から出力される信号の高周波成分の強調量を最適化するための制御を実行する制御部である。強調量制御部１４０ａの具体的な制御内容については、本実施例に係る伝送システムの処理手順の説明の中で詳述することとする。特定データ生成部１５０は、強調量制御部１４０ａの制御にしたがって、高周波成分の強調量の最適化処理にもちいられる各種信号を送信するために必要な特定のビット列を生成する処理部である。
【００４２】
情報処理装置２００ａは、主処理部２１０と、受信部２２０と、送信部２３０と、最適化処理部２４０ａとを有する。主処理部２１０は、情報処理装置２００ａの主目的である処理を実行する処理部である。
【００４３】
受信部２２０は、情報処理装置１００ａから送信された信号を受信し、ビット列へ変換して主処理部２１０へ出力する処理部である。受信部２２０は、高周波成分の強調量の最適化のための処理の実行中は、受信した信号をビット列へ変換することなく、そのまま最適化処理部２４０ａへ出力する。
【００４４】
送信部２３０は、主処理部２１０もしくは最適化処理部２４０ａから送信を依頼されたビット列を伝送用の信号に変換して情報処理装置１００ａへ向けて送信する処理部である。最適化処理部２４０ａは、受信部２２０にて受信される信号の高周波成分の強調量を最適化するための処理を実行する処理部である。最適化処理部２４０ａの具体的な処理内容については、本実施例に係る伝送システムの処理手順の説明の中で詳述することとする。
【００４５】
次に、本実施例に係る伝送システムの処理手順について説明する。図５は、本実施例に係る伝送システムの処理手順を示すフローチャートである。同図は、情報処理装置１００ａから情報処理装置２００ａへ送信される信号の高周波成分の強調量を最適化するための処理手順を示しており、この処理手順は、情報処理装置１００ａから情報処理装置２００ａへの本信号の送信が開始される前に実行される。
【００４６】
高周波成分の強調量を最適化するため、まず、情報処理装置１００ａにおいて、強調量制御部１４０ａが、高周波成分の強調をおこなわないように強調駆動部１２２を設定した上で、特定データ生成部１５０に対して、低周波信号を生成するための特定データ（例えば、「１１１０００…」のようなビット列）を生成して送信部１２０に出力するように指示する。この制御により、情報処理装置１００ａから情報処理装置２００ａへ高周波成分が強調されていない低周波信号が送信される（ステップＳ１０１）。
【００４７】
そして、情報処理装置２００ａの受信部２２０において低周波信号が受信され（ステップＳ２０１）、最適化処理部２４０ａが、その信号の振幅ａ１を取得する（ステップＳ２０２）。この振幅ａ１は、周波数の高低によらず全ての信号がもつべき振幅を表す。なお、信号の振幅の取得は、ＡＤ変換をおこなってデジタル回路でおこなうこととしてもよいし、比較器をもちいてアナログ回路でおこなうこととしてもよい。
【００４８】
続いて、情報処理装置１００ａにおいて、強調量制御部１４０ａが、高周波成分の強調が最小になるように強調駆動部１２２を設定する（ステップＳ１０２）。そして、特定データ生成部１５０に対して、高周波信号を生成するための特定データ（例えば、「１０１０１０…」のようなビット列）を生成して送信部１２０に出力するように指示する。この制御により、情報処理装置１００ａから情報処理装置２００ａへ高周波信号が送信される（ステップＳ１０３）。
【００４９】
そして、情報処理装置２００ａの受信部２２０において高周波信号が受信され（ステップＳ２０３）、最適化処理部２４０ａが、その信号の振幅ａ２を取得する（ステップＳ２０４）。そして、最適化処理部２４０ａが、振幅ａ１と振幅ａ２を比較し、振幅ａ１と振幅ａ２の大きさが異なる場合は（ステップＳ２０５否定）、送信部２３０を経由して、振幅ａ１と振幅ａ２の差分の大きさを情報処理装置１００ａへ応答し（ステップＳ２０６）、次の高周波信号が受信されるのを待ち受ける。
【００５０】
一方、振幅ａ１と振幅ａ２の大きさが同一であれば（ステップＳ２０５肯定）、高周波成分の強調量が最適化されたことになるので、最適化処理部２４０ａは、送信部２３０を経由して、最適化が完了した旨の応答を情報処理装置１００ａへ送信し（ステップＳ２０７）、処理を終了する。
【００５１】
情報処理装置１００ａにおいては、強調量制御部１４０ａが、受信部１３０を経由して、情報処理装置２００ａから送信された応答を受信し（ステップＳ１０４）、その応答が最適化の完了を示すものであれば（ステップＳ１０５肯定）、処理を終了する。
【００５２】
一方、振幅の差分の大きさが応答された場合は（ステップＳ１０５否定）、強調量制御部１４０ａは、その差分の大きさに応じて、高周波成分の強調量の補正量を決定し、強調駆動部１２２の設定を補正する（ステップＳ１０６）。そして、ステップＳ１０３に戻り、情報処理装置２００ａへ高周波信号を送信するための制御を実行する。
【００５３】
上述してきたように、本実施例１では、強調量を変動させながら送信した高周波信号の振幅と、高周波成分の強調をおこなわずに送信した低周波信号の振幅を比較し、両者が一致するように送信側の装置と受信側の装置で調整することとしたので、これらの装置の自律的な協調動作によって高周波成分の強調量を最適化することができる。
【００５４】
なお、上記の実施例では、低周波信号を最初に一度だけ送信することしたが、低周波信号と高周波信号を交互に送信し、受信側の装置において、高周波信号を受信するたびに、直前に受信した低周波信号と振幅を比較するようにしてもよい。
【００５５】
また、図６に示すように、正論理線で低周波信号を送信し、負論理線で高周波信号を送信するというように、正論理線と負論理線を通じて異なる周波数の信号を送信し、それぞれの振幅を比較するようにしてもよい。
【実施例２】
【００５６】
実施例２では、受信側の装置において、受信した信号のエッジの数を検出し、この検出結果に基づいて、高周波成分の強調量の最適化をおこなう例について説明する。
【００５７】
まず、本実施例に係る調整方法の概要について説明する。本実施例に係る調整方法では、図７に示すように、送信側の装置が、高周波成分を強調した特定パターンの信号を受信側の装置へ送信し、受信側の装置が、受信した信号のエッジの数を検出する。例えば、図７の例では、受信側の装置にて４個のエッジが検出される。
【００５８】
送信側の装置から受信側の装置への特定パターンの信号の送信は、まず、高周波成分を大きめに強調しておこなわれ、強調を段階的に弱めながら繰り返し実行される。この間、受信側の装置は、特定パターンの信号を受信するたびに、その信号のエッジの数を検出し、最初に受信した信号のエッジの数と比較する。
【００５９】
そして、受信側の装置は、受信した信号のエッジの数が、最初に受信した信号のエッジの数よりも減少していることを認識すると、送信側の装置へ対して強調量が最適化された旨を通知し、調整処理を完了させる。
【００６０】
受信側の装置で受信される信号のエッジの数は、当初は、高周波成分を大きめに強調されるため、強調部分のエッジも含んだ数となる。そして、高周波成分の強調量が減少し、図８に示すように、強調量が最適化された段階で、強調部分のエッジが検出されなくなるため、受信側の装置で受信される信号のエッジの数が、減少することになる。例えば、図８の例では、エッジの数が４個から２個に減少している。
【００６１】
本実施例に係る調整方法は、このように、高周波成分の強調量の最適化の前後で、受信側の装置で受信される信号のエッジの数が変動することを利用して、高周波成分の強調量の最適化を自動的におこなう。
【００６２】
次に、本実施例に係る調整方法を実行する伝送システムの構成について説明する。図９は、本実施例に係る伝送システムの構成を示す機能ブロック図である。同図に示すように、本実施例に係る伝送システムは、情報処理装置１００ｂと情報処理装置２００ｂを接続して構成される。
【００６３】
なお、図９では、説明を簡単にするため、情報処理装置１００ｂから情報処理装置２００ｂへ送信される信号の高周波成分の強調量を最適化するための構成のみを図示している。また、ここでいう情報処理装置は、他の装置と情報のやりとりをおこなう装置を広く意味し、通信装置等を含むものとする。また、情報処理装置１００ｂと情報処理装置２００ｂの間の接続は、どのような方式によるものであってもよく、例えば、ネットワークによる接続であってもよいし、装置間接続用の専用のケーブルによる接続であってもよい。
【００６４】
同図に示すように、情報処理装置１００ｂは、強調量制御部１４０ａが強調量制御部１４０ｂに置き換わっている以外は、図４に示した情報処理装置１００ａと同様の構成を有する。また、情報処理装置２００ｂは、最適化処理部２４０ａが最適化処理部２４０ｂに置き換わっている以外は、図４に示した情報処理装置２００ａと同様の構成を有する。
【００６５】
強調量制御部１４０ｂは、送信部１２０から出力される信号の高周波成分の強調量を最適化するための制御を実行する制御部である。強調量制御部１４０ｂの具体的な制御内容については、本実施例に係る伝送システムの処理手順の説明の中で詳述することとする。
【００６６】
最適化処理部２４０ｂは、受信部２２０にて受信される信号の高周波成分の強調量を最適化するための処理を実行する処理部である。最適化処理部２４０ｂの具体的な処理内容については、本実施例に係る伝送システムの処理手順の説明の中で詳述することとする。
【００６７】
次に、本実施例に係る伝送システムの処理手順について説明する。図１０は、本実施例に係る伝送システムの処理手順を示すフローチャートである。同図は、情報処理装置１００ｂから情報処理装置２００ｂへ送信される信号の高周波成分の強調量を最適化するための処理手順を示しており、この処理手順は、情報処理装置１００ｂから情報処理装置２００ｂへの本信号の送信が開始される前に実行される。
【００６８】
高周波成分の強調量を最適化するため、まず、情報処理装置１００ｂにおいて、強調量制御部１４０ｂが、予め設定されている最大値まで高周波成分を強調するように強調駆動部１２２を設定する（ステップＳ３０１）。そして、特定データ生成部１５０に対して、特定パターンのデータを生成して送信部１２０に出力するように指示する。この制御により、情報処理装置１００ｂから情報処理装置２００ｂへ、高周波成分が強調された特定パターンの信号が送信される（ステップＳ３０２）。
【００６９】
そして、情報処理装置２００ｂの受信部２２０において特定パターンの信号が受信され（ステップＳ４０１）、最適化処理部２４０ｂが、その信号のエッジ数ｅ１を取得する（ステップＳ４０２）。なお、信号のエッジの数の検出は、例えば、微分回路をもちいて実現することができる。
【００７０】
続いて、情報処理装置１００ｂにおいて、強調量制御部１４０ｂが、高周波成分の強調を１段階低減するように強調駆動部１２２を設定する（ステップＳ３０３）。そして、特定データ生成部１５０に対して、特定パターンのデータを生成して送信部１２０に出力するように指示する。この制御により、情報処理装置１００ｂから情報処理装置２００ｂへ高周波成分が強調された特定パターンの信号が送信される（ステップＳ３０４）。
【００７１】
そして、情報処理装置２００ｂの受信部２２０において特定パターンの信号が受信され（ステップＳ４０３）、最適化処理部２４０ｂが、その信号のエッジ数ｅ２を取得する（ステップＳ４０４）。そして、最適化処理部２４０ｂが、エッジ数ｅ１とエッジ数ｅ２を比較し、エッジ数ｅ２がエッジ数ｅ１よりも減少していなければ（ステップＳ４０５否定）、送信部２３０を経由して、エッジ数ｅ２を情報処理装置１００ｂへ応答し（ステップＳ４０６）、次の特定パターンの信号が受信されるのを待ち受ける。
【００７２】
一方、エッジ数ｅ２がエッジ数ｅ１よりも減少していれば（ステップＳ４０５肯定）、高周波成分の強調量が最適化されたことになるので、最適化処理部２４０ｂは、送信部２３０を経由して、最適化が完了した旨の応答を情報処理装置１００ｂへ送信し（ステップＳ４０７）、処理を終了する。
【００７３】
情報処理装置１００ｂにおいては、強調量制御部１４０ｂが、受信部１３０を経由して、情報処理装置２００ｂから送信された応答を受信し（ステップＳ３０５）、その応答が最適化の完了を示すものであれば（ステップＳ３０６肯定）、処理を終了する。さもなければ（ステップＳ３０６否定）、強調量制御部１４０ｂは、ステップＳ３０３に戻り、高周波成分の強調をさらに１段階低減した信号を送信するための制御をおこなう。
【００７４】
上述してきたように、本実施例２では、送信側の装置において強調量を変動させながら送信した特定パターンの信号のエッジの数を受信側の装置で検出し、検出されるエッジ数の変動を監視することにより、高周波成分の強調量を調整することとしたので、これらの装置の自律的な協調動作によって高周波成分の強調量を最適化することができる。
【００７５】
なお、上記の実施例では、最初に受信した信号のエッジ数と、直近に受信した信号のエッジ数とを比較することとしたが、前回受信した信号のエッジ数と、直近に受信した信号のエッジ数とを比較することとしてもよい。
【００７６】
また、受信側の装置は、単に、受信した信号のエッジ数を検出して送信側の装置に応答するのみとし、送信側の装置が、応答されたエッジ数と、自身が送信した信号に含まれているはずのエッジ数とを比較して、高周波成分の強調量が最適化されているか否かを判定することとしてもよい。
【実施例３】
【００７７】
実施例３では、受信側の装置において、高周波成分の強調部分と非強調分の振幅を測定し、この測定結果に基づいて、高周波成分の強調量の最適化をおこなう例について説明する。
【００７８】
まず、本実施例に係る調整方法の概要について説明する。本実施例に係る調整方法では、図１１に示すように、送信側の装置が、高周波成分を強調した特定パターンの信号を受信側の装置へ送信し、受信側の装置は、ＡＤ変換器等をもちいて、受信した信号の振幅を所定の時間間隔でサンプリングして測定する。
【００７９】
ここで、送信側の装置から送信される特定パターンの信号は、予めパターンが定義されたものであり、受信側の装置は、例えば、その信号が受信されたタイミングｔ０からその信号の高周波成分の強調部分の受信が完了するまでの時間ｔ１や、信号全体の受信が完了するまでの時間ｔ２等を予め認識しているものとする。
【００８０】
そして、受信側の装置は、サンプリング結果と、予め認識している信号のパターン情報とを照合して、受信した信号における高周波成分の強調部分（図１１の例ではｔ０とｔ１の間の部分）の振幅の平均値と、非強調部分（図１１の例ではｔ１とｔ２の間の部分）の振幅の平均値とを求める。
【００８１】
送信側の装置から受信側の装置への特定パターンの信号の送信は、まず、高周波成分を大きめに強調しておこなわれ、強調を段階的に弱めながら繰り返し実行される。この間、受信側の装置は、特定パターンの信号を受信するたびに、高周波成分の強調部分の振幅の平均値と、非強調部分の振幅の平均値とを求め、両者を比較する。
【００８２】
そして、受信側の装置は、図１２の例のように、受信した信号における高周波成分の強調部分の振幅の平均値と、非強調部分の振幅の平均値とが一致した時点で、送信側の装置へ対して強調量が最適化された旨を通知し、調整処理を完了させる。
【００８３】
本実施例に係る調整方法は、このように、受信した信号の振幅を所定の時間間隔でサンプリングして測定し、高周波成分の強調部分の振幅の平均値と、非強調部分の振幅の平均値とを比較することにより、高周波成分の強調量の最適化を自動的におこなう。ここで、平均値を比較しているのは、ノイズ等による信号の波形の乱れの影響を軽減するためである。
【００８４】
次に、本実施例に係る調整方法を実行する伝送システムの構成について説明する。図１３は、本実施例に係る伝送システムの構成を示す機能ブロック図である。同図に示すように、本実施例に係る伝送システムは、情報処理装置１００ｃと情報処理装置２００ｃを接続して構成される。
【００８５】
なお、図１３では、説明を簡単にするため、情報処理装置１００ｃから情報処理装置２００ｃへ送信される信号の高周波成分の強調量を最適化するための構成のみを図示している。また、ここでいう情報処理装置は、他の装置と情報のやりとりをおこなう装置を広く意味し、通信装置等を含むものとする。また、情報処理装置１００ｃと情報処理装置２００ｃの間の接続は、どのような方式によるものであってもよく、例えば、ネットワークによる接続であってもよいし、装置間接続用の専用のケーブルによる接続であってもよい。
【００８６】
同図に示すように、情報処理装置１００ｃは、強調量制御部１４０ａが強調量制御部１４０ｃに置き換わっている以外は、図４に示した情報処理装置１００ａと同様の構成を有する。また、情報処理装置２００ｃは、最適化処理部２４０ａが最適化処理部２４０ｃに置き換わっている以外は、図４に示した情報処理装置２００ａと同様の構成を有する。
【００８７】
強調量制御部１４０ｃは、送信部１２０から出力される信号の高周波成分の強調量を最適化するための制御を実行する制御部である。強調量制御部１４０ｃの具体的な制御内容については、本実施例に係る伝送システムの処理手順の説明の中で詳述することとする。
【００８８】
最適化処理部２４０ｃは、受信部２２０にて受信される信号の高周波成分の強調量を最適化するための処理を実行する処理部である。最適化処理部２４０ｃの具体的な処理内容については、本実施例に係る伝送システムの処理手順の説明の中で詳述することとする。
【００８９】
次に、本実施例に係る伝送システムの処理手順について説明する。図１４は、本実施例に係る伝送システムの処理手順を示すフローチャートである。同図は、情報処理装置１００ｃから情報処理装置２００ｃへ送信される信号の高周波成分の強調量を最適化するための処理手順を示しており、この処理手順は、情報処理装置１００ｃから情報処理装置２００ｃへの本信号の送信が開始される前に実行される。
【００９０】
高周波成分の強調量を最適化するため、まず、情報処理装置１００ｃにおいて、強調量制御部１４０ｃが、予め設定されている最大値まで高周波成分を強調するように強調駆動部１２２を設定する（ステップＳ５０１）。そして、特定データ生成部１５０に対して、特定パターンのデータを生成して送信部１２０に出力するように指示する。この制御により、情報処理装置１００ｃから情報処理装置２００ｃへ、高周波成分が強調された特定パターンの信号が送信される（ステップＳ５０２）。
【００９１】
そして、情報処理装置２００ｃの受信部２２０において特定パターンの信号が受信され（ステップＳ６０１）、最適化処理部２４０ｃが、その信号の強調部分の振幅の平均値ａｖ１を取得し（ステップＳ６０２）、非強調部分の振幅の平均値ａｖ２を取得する（ステップＳ６０３）。
【００９２】
そして、最適化処理部２４０ｃが、平均値ａｖ１と平均値ａｖ２を比較し、平均値ａｖ１が平均値ａｖ２と一致しなければ（ステップＳ６０４否定）、送信部２３０を経由して、平均値ａｖ１と平均値ａｖ２の差分の大きさを情報処理装置１００ｃへ応答し（ステップＳ６０５）、次の特定パターンの信号が受信されるのを待ち受ける。
【００９３】
一方、平均値ａｖ１が平均値ａｖ２と一致した場合は（ステップＳ６０４肯定）、高周波成分の強調量が最適化されたことになるので、最適化処理部２４０ｃは、送信部２３０を経由して、最適化が完了した旨の応答を情報処理装置１００ｃへ送信し（ステップＳ６０６）、処理を終了する。
【００９４】
情報処理装置１００ｃにおいては、強調量制御部１４０ｃが、受信部１３０を経由して、情報処理装置２００ｃから送信された応答を受信し（ステップＳ５０３）、その応答が最適化の完了を示すものであれば（ステップＳ５０４肯定）、処理を終了する。
【００９５】
一方、振幅の平均値の差分の大きさが応答された場合は（ステップＳ５０４否定）、強調量制御部１４０ｃは、その差分の大きさに応じて、高周波成分の強調量の補正量を決定し、強調駆動部１２２の設定を補正する（ステップＳ５０５）。そして、ステップＳ５０２に戻り、情報処理装置２００ｃへ特定パターンの信号を送信するための制御を実行する。
【００９６】
上述してきたように、本実施例３では、送信側の装置において強調量を変動させながら送信した特定パターンの信号の振幅を受信側の装置で所定の時間間隔で測定し、強調部分の振幅の平均値と非強調部分の振幅の平均値の差を監視することにより、高周波成分の強調量を調整することとしたので、これらの装置の自律的な協調動作によって高周波成分の強調量を最適化することができる。
【実施例４】
【００９７】
実施例４では、受信側の装置において、受信した信号の波形が所定の範囲内に入る時間を測定し、この測定結果に基づいて、高周波成分の強調量の最適化をおこなう例について説明する。
【００９８】
まず、本実施例に係る調整方法の概要について説明する。本実施例に係る調整方法では、図１５に示すように、送信側の装置が、高周波成分を強調した特定パターンの信号を受信側の装置へ送信し、受信側の装置は、受信した信号の波形が所定の範囲内に入る時間を測定する。
【００９９】
具体的には、高周波成分の非強調部分のＬｏｗ側の上下にＬ０ａとＬ０ｂという２つの閾値を設け、論理値０に対応する波形がこれらの閾値の間に入っている時間Ｔ０を測定し、さらに、高周波成分の非強調部分のＨｉｇｈ側の上下にＬ１ａとＬ１ｂという２つの閾値を設け、論理値１に対応する波形がこれらの閾値の間に入っている時間Ｔ１を測定する。
【０１００】
なお、これらの閾値の値は、例えば、事前に送信側の装置から受信側の装置へ低周波信号を送り、その振幅を測定した結果に基づいて決めることができる。また、閾値Ｌ０ａと閾値Ｌ０ｂの間と、閾値Ｌ１ａと閾値Ｌ１ｂの間の幅は、必要とされる調整の精度等に応じて適宜設定することができる。
【０１０１】
送信側の装置から受信側の装置への特定パターンの信号の送信は、まず、高周波成分を大きめに強調しておこなわれ、強調を段階的に弱めながら繰り返し実行される。この間、受信側の装置は、特定パターンの信号を受信するたびに、信号の波形が閾値Ｌ０ａと閾値Ｌ０ｂの間に入っているＴ０時間と、閾値Ｌ１ａと閾値Ｌ１ｂの間に入っているＴ１時間を測定する。
【０１０２】
そして、受信側の装置は、測定された時間が、所定時間よりも長くなったことを認識すると、送信側の装置へ対して強調量が最適化された旨を通知し、調整処理を完了させる。ここで、所定時間とは、最初に信号を受信したときに測定された時間、もしくは、送信される特定パターンの信号ごとに予め設定された時間である。
【０１０３】
受信側の装置で測定される時間は、当初は、高周波成分の非強調部分が受信されている時間となる。そして、高周波成分の強調量が減少し、図１６に示すように、強調量が最適化された段階で、強調部分の波形の高さが非強調部分の波形の高さと同じになるため、測定される時間は、強調部分が受信される時間が加算されたものになる。
【０１０４】
本実施例に係る調整方法は、このように、高周波成分の強調量の最適化の前後で、受信側の装置で受信される信号の波形が所定の範囲に入る時間が変動することを利用して、高周波成分の強調量の最適化を自動的におこなう。
【０１０５】
次に、本実施例に係る調整方法を実行する伝送システムの構成について説明する。図１７は、本実施例に係る伝送システムの構成を示す機能ブロック図である。同図に示すように、本実施例に係る伝送システムは、情報処理装置１００ｄと情報処理装置２００ｄを接続して構成される。
【０１０６】
なお、図１７では、説明を簡単にするため、情報処理装置１００ｄから情報処理装置２００ｄへ送信される信号の高周波成分の強調量を最適化するための構成のみを図示している。また、ここでいう情報処理装置は、他の装置と情報のやりとりをおこなう装置を広く意味し、通信装置等を含むものとする。また、情報処理装置１００ｄと情報処理装置２００ｄの間の接続は、どのような方式によるものであってもよく、例えば、ネットワークによる接続であってもよいし、装置間接続用の専用のケーブルによる接続であってもよい。
【０１０７】
同図に示すように、情報処理装置１００ｄは、強調量制御部１４０ａが強調量制御部１４０ｄに置き換わっている以外は、図４に示した情報処理装置１００ａと同様の構成を有する。また、情報処理装置２００ｄは、最適化処理部２４０ａが最適化処理部２４０ｄに置き換わっている以外は、図４に示した情報処理装置２００ａと同様の構成を有する。
【０１０８】
強調量制御部１４０ｄは、送信部１２０から出力される信号の高周波成分の強調量を最適化するための制御を実行する制御部である。強調量制御部１４０ｄの具体的な制御内容については、本実施例に係る伝送システムの処理手順の説明の中で詳述することとする。
【０１０９】
最適化処理部２４０ｄは、受信部２２０にて受信される信号の高周波成分の強調量を最適化するための処理を実行する処理部である。最適化処理部２４０ｄの具体的な処理内容については、本実施例に係る伝送システムの処理手順の説明の中で詳述することとする。
【０１１０】
次に、本実施例に係る伝送システムの処理手順について説明する。図１８は、本実施例に係る伝送システムの処理手順を示すフローチャートである。同図は、情報処理装置１００ｄから情報処理装置２００ｄへ送信される信号の高周波成分の強調量を最適化するための処理手順を示しており、この処理手順は、情報処理装置１００ｄから情報処理装置２００ｄへの本信号の送信が開始される前に実行される。
【０１１１】
高周波成分の強調量を最適化するため、まず、情報処理装置１００ｄにおいて、強調量制御部１４０ｄが、予め設定されている最大値まで高周波成分を強調するように強調駆動部１２２を設定する（ステップＳ７０１）。そして、特定データ生成部１５０に対して、特定パターンのデータを生成して送信部１２０に出力するように指示する。この制御により、情報処理装置１００ｄから情報処理装置２００ｄへ、高周波成分が強調された特定パターンの信号が送信される（ステップＳ７０２）。
【０１１２】
そして、情報処理装置２００ｄの受信部２２０において特定パターンの信号が受信され（ステップＳ８０１）、最適化処理部２４０ｄは、論理値０に対応する波形が閾値Ｌ０ａと閾値Ｌ０ｂの間に入っている時間Ｔ０を測定し（ステップＳ８０２）、論理値１に対応する波形が閾値Ｌ１ａと閾値Ｌ１ｂの間に入っている時間Ｔ１を測定する（ステップＳ８０３）。
【０１１３】
そして、最適化処理部２４０ｄは、時間Ｔ０が所定時間以下であるか、時間Ｔ１が所定時間以下である場合には（ステップＳ８０４否定）、送信部２３０を経由して、所定時間との時間差がある旨を情報処理装置１００ｄへ応答し（ステップＳ８０５）、次の特定パターンの信号が受信されるのを待ち受ける。
【０１１４】
一方、時間Ｔ０が所定時間より大きく、かつ、時間Ｔ１が所定時間より大きい場合には（ステップＳ８０４肯定）、高周波成分の強調量が最適化されたことになるので、最適化処理部２４０ｄは、送信部２３０を経由して、最適化が完了した旨の応答を情報処理装置１００ｄへ送信し（ステップＳ８０６）、処理を終了する。
【０１１５】
情報処理装置１００ｄにおいては、強調量制御部１４０ｄが、受信部１３０を経由して、情報処理装置２００ｄから送信された応答を受信し（ステップＳ７０３）、その応答が最適化の完了を示すものであれば（ステップＳ７０４肯定）、処理を終了する。
【０１１６】
一方、所定時間との時間差がある旨が応答された場合は（ステップＳ７０４否定）、強調量制御部１４０ｄは、高周波成分の強調を１段階低減するように強調駆動部１２２を設定する（ステップＳ７０５）。そして、ステップＳ７０２に戻り、情報処理装置２００ｄへ特定パターンの信号を送信するための制御を実行する。
【０１１７】
上述してきたように、本実施例４では、送信側の装置において強調量を変動させながら送信した特定パターンの信号が所定の範囲に入る時間を測定し、測定結果の変動を監視することにより、高周波成分の強調量を調整することとしたので、これらの装置の自律的な協調動作によって高周波成分の強調量を最適化することができる。
【０１１８】
なお、上記の実施例では、測定した時間と、所定時間とを比較することとしたが、前回信号を受信した際に測定した時間と、直近に測定した時間とを比較し、時間が長くなった場合に高周波成分の強調量が最適化されたと判定することとしてもよい。また、上記の実施例では、Ｈｉｇｈ側とＬｏｗ側の両方に閾値を設けることとしたが、一方のみに閾値を設け、そちらの側だけで時間を測定することとしてもよい。
【実施例５】
【０１１９】
上記の各実施例において示した情報処理装置１００ａ〜１００ｄおよび情報処理装置２００ａ〜２００ｄが、高周波成分の強調量を最適化するための機能、すなわち、強調量制御部１４０ａ〜１４０ｄ、特定データ生成部１５０および最適化処理部２４０ａ〜２４０ｄの機能をプログラムによって実現することもできる。
【０１２０】
本実施例では、強調量制御部１４０ａ〜１４０ｄ、特定データ生成部１５０および最適化処理部２４０ａ〜２４０ｄの機能をソフトウェアとして実装し、ネットワークを介して送信される信号の高周波成分の強調量の最適化をおこなう強調量調整プログラム１０７１について説明する。
【０１２１】
なお、強調量調整プログラム１０７１は、強調量制御部１４０ａ〜１４０ｄの全ての機能を備えている必要はなく、いずれか１つの機能を備えていればよい。また、強調量調整プログラム１０７１は、最適化処理部２４０ａ〜２４０ｄの全ての機能を備えている必要はなく、いずれか１つの機能を備えていればよい。
【０１２２】
図１９は、強調量調整プログラム１０７１を実行するコンピュータ１０００を示す機能ブロック図である。このコンピュータ１０００は、各種演算処理を実行するＣＰＵ（Central Processing Unit）１０１０と、ユーザからのデータの入力を受け付ける入力装置１０２０と、各種情報を表示するモニタ１０３０と、記録媒体からプログラム等を読み取る媒体読取り装置１０４０と、ネットワークを介して他のコンピュータとの間でデータの授受をおこなうネットワークインターフェース装置１０５０と、各種情報を一時記憶するＲＡＭ（Random Access Memory）１０６０と、ハードディスク装置１０７０とをバス１０８０で接続して構成される。
【０１２３】
強調量調整プログラム１０７１は、ハードディスク装置１０７０に記憶される。そして、ＣＰＵ１０１０が、強調量調整プログラム１０７１をハードディスク装置１０７０から読み出してＲＡＭ１０６０に展開することにより、強調量調整プログラム１０７１は、強調量調整プロセス１０６１として機能するようになる。
【０１２４】
そして、強調量調整プロセス１０６１は、ＲＡＭ１０６０上の自身に割り当てられた領域をもちいて各種データ処理を実行し、ネットワークインターフェース装置１０５０経由においてやりとりされる信号の高周波成分の強調量を最適化する処理を実行する。
【０１２５】
なお、上記の強調量調整プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（Local Area Network）、ＷＡＮ（Wide Area Network）等を介してコンピュータ１０００に接続される他のコンピュータ（またはサーバ）等にこのプログラムを記憶させておき、コンピュータ１０００がこれらからプログラムを読み出して実行するようにしてもよい。
【０１２６】
（付記１）伝送路を介して他の装置と接続され、前記他の装置との間で通信をおこなう通信機能を有する装置において、
前記他の装置に対して、強調駆動器の設定を変更し特定データの強調成分を所定範囲で変更して送信する送信部と、
前記送信部による前記特定データの送信に応答して前記他の装置から受信した前記特定データの強調成分の最適設定情報を、前記強調駆動器に設定する強調量制御部と
を備えたことを特徴とする通信機能を有する装置。
【０１２７】
（付記２）前記特定データは、論理値１の複数ビットと論理値０の複数ビットとが交互に送信された後、論理値１の１ビットと論理値０の１ビットが前記強調成分をもたせられて交互に送信されるデータであることを特徴とする付記１記載の通信機能を有する装置。
【０１２８】
（付記３）前記特定データは、論理値１の複数ビットと論理値０の複数ビットとが前記強調成分をもたせられて交互に送信されるデータであることを特徴とする付記１記載の通信機能を有する装置。
【０１２９】
（付記４）伝送路を介して他の装置と接続され、前記他の装置との間で通信をおこなう通信機能を有する装置において、
前記他の装置から特定データを受信する受信部と、
前記特定データの強調成分の最適設定情報を求める最適化処理部と、
前記他の装置に対して前記最適設定情報を送信する送信部と
を備えたことを特徴とする通信機能を有する装置。
【０１３０】
（付記５）前記最適化処理部は、前記特定データの内、論理値１の１ビットと論理値０の１ビットが強調成分をもたされて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする付記４記載の通信機能を有する装置。
【０１３１】
（付記６）前記最適化処理部は、前記特定データの波形からエッジを求めて、前記特定データの一周期内のエッジの数量が所定個数に遷移することを検出することにより、前記強調成分の最適設定情報を求めることを特徴とする付記４記載の通信機能を有する装置。
【０１３２】
（付記７）前記最適化処理部は、前記特定データの論理値１に対応する波形が、２つの閾値の間に所定時間入っていることを検出し、前記特定データの論理値０に対応する波形が、他の２つの閾値の間に所定時間入っていることを検出することにより、前記強調成分の最適設定情報を求めることを特徴とする付記４記載の通信機能を有する装置。
【０１３３】
（付記８）伝送路を介して他の装置と接続され、前記他の装置との間で通信を行う通信機能を有する装置の調整方法において、
前記他の装置に対して、強調駆動器の設定を変更し特定データの強調成分を所定範囲で変更して送信する送信処理ステップと、
前記送信処理ステップによる前記特定データの送信に応答して前記他の装置から受信した前記特定データの強調成分の最適設定情報を、前記強調駆動器に設定する特性設定ステップと
を備えたことを特徴とする通信機能を有する装置の調整方法。
【０１３４】
（付記９）前記特定データは、論理値１の複数ビットと論理値０の複数ビットとが交互に送信された後、論理値１の１ビットと論理値０の１ビットが前記強調成分をもたせられて交互に送信されるデータであることを特徴とする付記８記載の通信機能を有する装置の調整方法。
【０１３５】
（付記１０）前記特定データは、論理値１の複数ビットと論理値０の複数ビットとが前記強調成分をもたせられて交互に送信されるデータであることを特徴とする付記８記載の通信機能を有する装置の調整方法。
【０１３６】
（付記１１）伝送路を介して他の装置と接続され、前記他の装置との間で通信を行う通信機能を有する装置の自動調整方法において、
前記他の装置から特定データを受信する受信ステップと、
前記特定データの強調成分の最適設定情報を求める最適化処理ステップと、
前記他の装置に対して前記最適設定情報を送信する送信ステップと
を備えたことを特徴とする通信機能を有する装置の調整方法。
【０１３７】
（付記１２）前記最適化処理ステップは、前記特定データの内、論理値１の１ビットと論理値０の１ビットが強調成分をもたせられて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする付記１１記載の通信機能を有する装置の調整方法。
【０１３８】
（付記１３）前記最適化処理ステップは、前記特定データの波形からエッジを求めて、前記特定データの一周期内のエッジの数量が所定個数に遷移することを検出することにより、前記強調成分の最適設定情報を求めることを特徴とする付記１１記載の通信機能を有する装置の調整方法。
【０１３９】
（付記１４）前記最適化処理ステップは、前記特定データの論理値１に対応する波形が、２つの閾値の間に所定時間入っていることを検出し、前記特定データの論理値０に対応する波形が、他の２つの閾値の間に所定時間入っていることを検出することにより、前記強調成分の最適設定情報を求めることを特徴とする付記１１記載の通信機能を有する装置の調整方法。
【０１４０】
（付記１５）伝送路を介して他の装置と接続され、前記他の装置との間で通信を行う通信機能を有する装置に、
前記他の装置に対して、強調駆動器の設定を変更し特定データの強調成分を所定範囲で変更して送信する送信処理ステップと、
前記送信処理ステップによる前記特定データの送信に応答して前記他の装置から受信した前記特定データの強調成分の最適設定情報を、前記強調駆動器に設定する特性設定ステップと
を実行させることを特徴とする調整プログラム。
【０１４１】
（付記１６）前記特定データは、論理値１の複数ビットと論理値０の複数ビットとが交互に送信された後、論理値１の１ビットと論理値０の１ビットが前記強調成分をもたせられて交互に送信されるデータであることを特徴とする付記１５記載の調整プログラム。
【０１４２】
（付記１７）前記特定データは、論理値１の複数ビットと論理値０の複数ビットとが前記強調成分をもたせられて交互に送信されるデータであることを特徴とする付記１５記載の調整プログラム。
【０１４３】
（付記１８）伝送路を介して他の装置と接続され、前記他の装置との間で通信を行う通信機能を有する装置に、
前記他の装置から特定データを受信する受信ステップと、
前記特定データの強調成分の最適設定情報を求める最適化処理ステップと、
前記他の装置に対して前記最適設定情報を送信する送信ステップと
を実行させることを特徴とする調整プログラム。
【０１４４】
（付記１９）前記最適化処理ステップは、前記特定データの内、論理値１の１ビットと論理値０の１ビットが強調成分をもたせられて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする付記１８記載の調整プログラム。
【０１４５】
（付記２０）前記最適化処理ステップは、前記特定データの波形からエッジを求めて、前記特定データの一周期内のエッジの数量が所定個数に遷移することを検出することにより、前記強調成分の最適設定情報を求めることを特徴とする付記１８記載の調整プログラム。
【０１４６】
（付記２１）前記最適化処理ステップは、前記特定データの論理値１に対応する波形が、２つの閾値の間に所定時間入っていることを検出し、前記特定データの論理値０に対応する波形が、他の２つの閾値の間に所定時間入っていることを検出することにより、前記強調成分の最適設定情報を求めることを特徴とする付記１８記載の調整プログラム。
【０１４７】
（付記２２）伝送路を介して接続された送信器と受信器からなるシステムにおいて、
前記送信器は、
前記受信器に対して、強調駆動器の設定を変更し特定データの強調成分を所定範囲で変更して送信する送信部と、
前記送信部による前記特定データの送信に応答して前記受信器から受信した前記特定データの協調成分の最適設定情報を、前記強調駆動器に設定する強調量制御部と
を備え、
前記受信器は、
前記送信器から特定データを受信する受信部と、
前記特定データの強調成分の最適設定情報を求める最適化処理部と、
前記送信器に対して前記最適設定情報を送信する送信部と
を備えたことを特徴とするシステム。
【０１４８】
（付記２３）前記送信器から送信される前記特定データは、論理値１の複数ビットと論理値０の複数ビットとが交互に送信された後、論理値１の１ビットと論理値０の１ビットが前記強調成分をもたせられて交互に送信されるデータであることを特徴とする付記２２記載のシステム。
【０１４９】
（付記２４）前記送信器から送信される前記特定データは、論理値１の複数ビットと論理値０の複数ビットとが前記強調成分をもたせられて交互に送信されるデータであることを特徴とする付記２２記載のシステム。
【０１５０】
（付記２５）前記最適化処理部は、前記特定データの内、論理値１の１ビットと論理値０の１ビットが強調成分をもたせられて交互に送信されるデータである第１の特定データと、論理値１の複数ビットと論理値０の複数ビットとが交互に送信されるデータである第２の特定データについて、前記第１の特定データの振幅と、前記第２の特定データの振幅を比較し、前記第１の特定データの振幅と、前記第２の特定データの振幅が等しくなる前記強調成分の最適設定情報を求めることを特徴とする付記２２記載のシステム。
【０１５１】
（付記２６）前記最適化処理部は、前記特定データの波形からエッジを求めて、前記特定データの一周期内のエッジの数量が所定個数に遷移することを検出することにより、前記強調成分の最適設定情報を求めることを特徴とする付記２２記載のシステム。
【０１５２】
（付記２７）前記最適化処理部は、前記特定データの論理値１に対応する波形が、２つの閾値の間に所定時間入っていることを検出し、前記特定データの論理値０に対応する波形が、他の２つの閾値の間に所定時間入っていることを検出することにより、前記強調成分の最適設定情報を求めることを特徴とする付記２２記載のシステム。
【産業上の利用可能性】
【０１５３】
以上のように、本発明に係る通信機能を有する装置および調整プログラムは、信号の高周波成分を強調して送信する場合に有用であり、特に、各種条件に応じて高周波成分の強調量を最適に調整する処理を自律的な動作により実現することが必要な場合に適している。
【図面の簡単な説明】
【０１５４】
【図１】高周波成分を強調せずに送信された低周波信号の一例を示す図である。
【図２】高周波成分を強調せずに送信された高周波信号の一例を示す図である。
【図３】高周波成分を強調して送信された高周波信号の一例を示す図である。
【図４】実施例１に係る伝送システムの構成を示す機能ブロック図である。
【図５】実施例１に係る伝送システムの処理手順を示すフローチャートである。
【図６】正論理線と負論理線に異周波の信号を送信する場合の一例を示す図である。
【図７】特定パターンの信号を送信する場合に受信側で検出されるエッジの一例を示す図である。
【図８】強調量が最適化された場合に受信側で検出されるエッジの一例を示す図である。
【図９】実施例２に係る伝送システムの構成を示す機能ブロック図である。
【図１０】実施例２に係る伝送システムの処理手順を示すフローチャートである。
【図１１】特定パターンの信号を送信する場合に受信側で受信される信号の振幅の一例を示す図である。
【図１２】強調量が最適化された場合に受信側で受信される信号の振幅の一例を示す図である。
【図１３】実施例３に係る伝送システムの構成を示す機能ブロック図である。
【図１４】実施例３に係る伝送システムの処理手順を示すフローチャートである。
【図１５】特定パターンの信号を送信する場合に受信側で波形が所定範囲に入る時間の一例を示す図である。
【図１６】強調量が最適化された場合に受信側で波形が所定範囲に入る時間の一例を示す図である。
【図１７】実施例４に係る伝送システムの構成を示す機能ブロック図である。
【図１８】実施例４に係る伝送システムの処理手順を示すフローチャートである。
【図１９】強調量調整プログラムを実行するコンピュータを示す機能ブロック図である。
【図２０】高周波成分を強調して送信された信号の一例を示す図である。
【図２１】強調量が最適化された状態を示す図である。
【図２２】強調成分が残存している状態を示す図である。
【図２３】高周波成分の伝送損失が発生している状態を示す図である。
【符号の説明】
【０１５５】
１００ａ、１００ｂ、１００ｃ、１００ｄ  情報処理装置
１１０  主処理部
１２０  送信部
１２１  駆動部
１２２  強調駆動部
１３０  受信部
１４０ａ、１４０ｂ、１４０ｃ、１４０ｄ  強調量制御部
１５０  特定データ生成部
２００ａ、２００ｂ、２００ｃ、２００ｄ  情報処理装置
２１０  主処理部
２２０  受信部
２３０  送信部
２４０ａ、２４０ｂ、２４０ｃ、２４０ｄ  最適化処理部
１０００  コンピュータ
１０１０  ＣＰＵ
１０２０  入力装置
１０３０  モニタ
１０４０  媒体読取り装置
１０５０  ネットワークインターフェース装置
１０６０  ＲＡＭ
１０６１  強調量調整プロセス
１０７０  ハードディスク装置
１０７１  強調量調整プログラム
１０８０  バス
【図１】
2008177940.tif 000003
【図２】
2008177940.tif 000004
【図３】
2008177940.tif 000005
【図４】
2008177940.tif 000006
【図５】
2008177940.tif 000007
【図６】
2008177940.tif 000008
【図７】
2008177940.tif 000009
【図８】
2008177940.tif 000010
【図９】
2008177940.tif 000011
【図１０】
2008177940.tif 000012
【図１１】
2008177940.tif 000013
【図１２】
2008177940.tif 000014
【図１３】
2008177940.tif 000015
【図１４】
2008177940.tif 000016
【図１５】
2008177940.tif 000017
【図１６】
2008177940.tif 000018
【図１７】
2008177940.tif 000019
【図１８】
2008177940.tif 000020
【図１９】
2008177940.tif 000021
【図２０】
2008177940.tif 000022
【図２１】
2008177940.tif 000023
【図２２】
2008177940.tif 000024
【図２３】
2008177940.tif 000025